(57)【要約】アルバム生成装置は、ユーザ及び移動体の組み合わせを識別する識別情報を取得する第１取得部と、１つ以上の撮影装置から１つ以上の画像を取得する第２取得部と、識別情報を用いて、１つ以上の画像のうちユーザ及び移動体の組み合わせを含む画像を選択する選択部と、選択された画像を用いてアルバムを生成する生成部と、を備える。
2018179310.tif 000002
【特許請求の範囲】
【請求項１】
アルバム生成装置であって、
ユーザ及び移動体の組み合わせを識別する識別情報を取得する第１取得手段と、
１つ以上の撮影装置から１つ以上の画像を取得する第２取得手段と、
前記識別情報を用いて、前記１つ以上の画像のうち前記ユーザ及び前記移動体の前記組み合わせを含む画像を選択する選択手段と、
前記選択された画像を用いてアルバムを生成する生成手段と、
を備えることを特徴とするアルバム生成装置。
【請求項２】
前記１つ以上の撮影装置は、前記アルバムの生成対象の区間を移動する移動体を撮影することを特徴とする請求項１に記載のアルバム生成装置。
【請求項３】
前記第１取得手段は、前記アルバムの生成対象の区間を走行する前又は走行した後に撮影された前記ユーザ及び前記移動体の画像から前記識別情報を取得することを特徴とする請求項１又は２に記載のアルバム生成装置。
【請求項４】
前記ユーザ及び前記移動体の画像は、前記アルバムの生成対象の区間の始点又は終点に設置された撮影装置によって撮影されることを特徴とする請求項１乃至３の何れか１項に記載のアルバム生成装置。
【請求項５】
前記識別情報は、前記ユーザの外観と、前記移動体の外観との少なくとも一方を含むことを特徴とする請求項１乃至４の何れか１項に記載のアルバム生成装置。
【請求項６】
前記移動体は自動二輪車であり、前記ユーザの外観は、前記ユーザのヘルメットとウェアとの少なくとも１つを含むことを特徴とする請求項１乃至５の何れか１項に記載のアルバム生成装置。
【請求項７】
前記生成手段は、前記ユーザによって指定された方針に沿って前記アルバムを生成することを特徴とする請求項１乃至６の何れか１項に記載のアルバム生成装置。
【請求項８】
前記アルバムを前記ユーザに提供する手段と、
前記アルバムの評価を前記ユーザから取得する手段とを更に備え、
前記生成手段は、前記評価に基づいて新たなアルバムを生成することを特徴とする請求項１乃至７の何れか１項に記載のアルバム生成装置。
【請求項９】
前記１つ以上の撮影装置は、前記アルバムの生成対象の区間を撮影可能な地点に固定された撮影装置を含むことを特徴とする請求項１乃至８の何れか１項に記載のアルバム生成装置。
【請求項１０】
前記１つ以上の撮影装置は、無人飛行体に搭載された撮影装置を含むことを特徴とする請求項１乃至９の何れか１項に記載のアルバム生成装置。
【請求項１１】
アルバム生成システムであって、
１つ以上の撮影装置と、
ユーザ及び移動体の組み合わせを識別する識別情報を取得する第１取得手段と、
前記１つ以上の撮影装置から１つ以上の画像を取得する第２取得手段と、
前記識別情報を用いて、前記１つ以上の画像のうち前記ユーザ及び前記移動体の前記組み合わせを含む画像を選択する選択手段と、
前記選択された画像を用いてアルバムを生成する生成手段と、
を備えることを特徴とするアルバム生成システム。
【請求項１２】
アルバムを生成する方法であって、
ユーザ及び移動体の組み合わせを識別する識別情報を取得する工程と、
１つ以上の撮影装置から１つ以上の画像を取得する工程と、
前記識別情報を用いて、前記１つ以上の画像のうち前記ユーザ及び前記移動体の前記組み合わせを含む画像を選択する工程と、
前記選択された画像を用いてアルバムを生成する工程と、
を有することを特徴とする方法。
【請求項１３】
１つ以上のプロセッサにより実行された場合に、前記１つ以上のプロセッサに、
ユーザ及び移動体の組み合わせを識別する識別情報を取得することと、
１つ以上の撮影装置から１つ以上の画像を取得することと、
前記識別情報を用いて、前記１つ以上の画像のうち前記ユーザ及び前記移動体の前記組み合わせを含む画像を選択することと、
前記選択された画像を用いてアルバムを生成することと、
を実行させるための命令を備えることを特徴とするプログラム。
【発明の詳細な説明】
【技術分野】
【０００１】
本発明は、アルバム生成装置、アルバム生成システム及びアルバム生成方法に関する。
【背景技術】
【０００２】
近年、周囲を撮影するためにカメラを搭載した車両が増えてきている。特許文献１には、自車両の周囲に他車両や固定カメラがある場合に、それらに自車両の撮影を依頼し、撮影データを取得することが記載されている。
【先行技術文献】
【特許文献】
【０００３】
【特許文献１】特開２００９−２１２７０１号公報
【発明の概要】
【発明が解決しようとする課題】
【０００４】
特許文献１に記載された技術では、他車両又は固定カメラで撮影された画像が自動的に自車両に送信される。これらの画像を用いてアルバムを生成するのはユーザにとって煩雑な作業であった。本発明の１つの側面は、移動体の画像を含むアルバムを生成するために有利な技術を提供することを目的とする。
【課題を解決するための手段】
【０００５】
本発明の一部の実施形態では、アルバム生成装置であって、ユーザ及び移動体の組み合わせを識別する識別情報を取得する第１取得手段と、１つ以上の撮影装置から１つ以上の画像を取得する第２取得手段と、前記識別情報を用いて、前記１つ以上の画像のうち前記ユーザ及び前記移動体の前記組み合わせを含む画像を選択する選択手段と、前記選択された画像を用いてアルバムを生成する生成手段と、を備えることを特徴とするアルバム生成装置が提供される。
【発明の効果】
【０００６】
上記手段によれば、移動体の画像を含むアルバムを生成するために有利な技術が提供される。
【図面の簡単な説明】
【０００７】
添付図面は明細書に含まれ、その一部を構成し、本発明の実施の形態を示し、その記述と共に本発明の原理を説明するために用いられる。
【図１】本発明の実施形態に係るアルバム生成システムの構成例を説明する図。
【図２Ａ】本発明の実施形態に係るサービス受付装置の構成例を説明する図。
【図２Ｂ】本発明の実施形態に係る撮影装置の構成例を説明する図。
【図２Ｃ】本発明の実施形態に係るアルバム生成装置の構成例を説明する図。
【図２Ｄ】本発明の実施形態に係るアルバム閲覧装置の構成例を説明する図。
【図３】本発明の実施形態に係るサービスの申し込みの受付処理の一例を説明する図。
【図４】本発明の実施形態に係る画像を登録する処理の一例を説明する図。
【図５】本発明の実施形態に係るアルバムを生成・表示する処理の一例を説明する図。
【図６Ａ】本発明の実施形態に係るタンデム走行撮影モードの例を説明する図。
【図６Ｂ】本発明の実施形態に係る峠走行撮影モードの例を説明する図。
【図６Ｃ】本発明の実施形態に係る集団走行撮影モードの例を説明する図。
【図７Ａ】本発明の実施形態に係る撮影される画像の例を説明する図。
【図７Ｂ】本発明の実施形態に係る撮影される画像の例を説明する図。
【図７Ｃ】本発明の実施形態に係る撮影される画像の例を説明する図。
【発明を実施するための形態】
【０００８】
添付の図面を参照しつつ本発明の実施形態について以下に説明する。様々な実施形態を通じて同様の要素には同一の参照符号を付し、重複する説明を省略する。また、各実施形態は適宜変更、組み合わせが可能である。以下の実施形態において、移動体とは移動可能な物体のことであり、例えば車両や船、航空機を含む。以下の実施形態では、移動体の一例として車両、とくに自動二輪車（いわゆるバイク）を扱うが、移動体は自動四輪車であってもよいし、他の移動体であってもよい。
【０００９】
図１を参照して、一部の実施形態に係るアルバム生成システム１００の構成例と動作の概要とを説明する。アルバム生成システム１００は、サービス受付装置１１０と、撮影装置１２０ａ〜１２０ｄと、アルバム生成装置１３０と、アルバム閲覧装置１４０とを含む。
【００１０】
サービス受付装置１１０は、車両１０１の運転者１０３からアルバム提供サービスの申し込みを受け付ける装置である。アルバム提供サービスとは、アルバム生成システム１００によって提供されるサービスであり、サービス利用者（以下、ユーザ）が特定の走行区間１０２を走行中の車両１０１（移動中の移動体）を撮影した画像を含むアルバムを提供するサービスのことである。以下、アルバム提供サービスを単にサービスと呼ぶ。特定の走行区間１０２がアルバムの生成対象の区間となる。運転者１０３はサービスを申し込むことによって、このサービスのユーザとなる。
【００１１】
サービス受付装置１１０は、サービスの申し込みの受付の際に、車両１０１及び運転者１０３の画像を撮影し、この画像をアルバム生成装置１３０へ送信する。サービス受付装置１１０は、この応答としてサービス識別番号を受信し、この番号を運転者１０３へ通知する。運転者１０３は、走行区間１０２の走行終了後に、この番号を利用してアルバムを取得する。また、ユーザは、サービスの申込時にアルバムの編集条件を指定してもよい。
【００１２】
サービス受付装置１１０は、アルバム生成システム１００の提供者によって用意され、走行区間１０２の始点１０２ａ及び終点１０２ｂに設置されてもよい。サービスの利用希望者は、走行区間１０２の始点１０２ａに設置されたサービス受付装置１１０を用いてサービスを申し込み、その後に走行区間１０２を走行してもよい。この場合に、アルバム生成装置１３０へ送信される車両１０１及び運転者１０３の画像は、運転者１０３が走行区間１０２を走行する前に撮影される。これに代えて、サービスの利用希望者は、走行区間１０２を走行した後に、走行区間１０２の終点１０２ｂに設置されたサービス受付装置１１０を用いてサービスを申し込んでもよい。この場合に、アルバム生成装置１３０へ送信される車両１０１及び運転者１０３の画像は、運転者１０３が走行区間１０２を走行した後に撮影される。
【００１３】
運転者１０３は、自身が有する電子デバイス（例えば、スマートフォンなどのカメラ付きモバイルデバイス）をサービス受付装置１１０として利用してもよい。この場合に、運転者１０３は、アルバム生成装置１３０が提供するウェブサイトを通じてサービスに申し込む。その際に、運転者１０３は、自身及び車両の画像をアルバム生成装置１３０へ送信する。運転者１０３は、この応答としてアルバム生成装置１３０からサービス識別番号を自身の電子デバイスで受信する。自身の電子デバイスを利用した申し込みは、走行区間１０２を走行する前に行われてもよいし、走行した後に行われてもよい。
【００１４】
撮影装置１２０ａ〜１２０ｄはそれぞれ、走行区間１０２を走行する車両を撮影する装置である。撮影装置１２０ａ〜１２０ｄを特に区別する必要がない場合に、撮影装置１２０と総称する。撮影装置１２０は撮影した画像をアルバム生成装置１３０へ送信する。画像は静止画像であってもよいし、動画像であってもよい。撮影装置１２０は、撮影装置１２０ａのように走行区間１０２を撮影可能な地点に固定されていてもよいし、撮影装置１２０ｂのように自立飛行可能な無人飛行体１０５（例えば、ドローン）に搭載されてもよいし、撮影装置１２０ｃのように撮影者１０４によって使用されてもよいし、撮影装置１２０ｄのように車両１０１に搭載されてもよい。無人飛行体１０５及び車両１０１はいずれも移動体の一例である。アルバム生成システム１００は、撮影装置１２０ａ〜１２０ｄの少なくとも１つを備えてもよいし、撮影装置１２０ａ〜１２０ｄのそれぞれを複数備えてもよい。
【００１５】
撮影装置１２０ａは、撮影エリアに移動体が存在していることを検出し、その移動体を自動的に撮影してもよい。撮影装置１２０ｂを搭載した無人飛行体１０５は、走行区間１０２に沿って飛行する。撮影装置１２０ｂは、撮影エリアに移動体が存在していることを検出し、その移動体を自動的に撮影してもよい。
アルバム生成装置１３０は、車両１０１の走行画像のアルバムを生成する装置である。アルバム閲覧装置１４０は、ユーザが車両１０１の走行画像のアルバムを閲覧するための装置である。ユーザはアルバム閲覧装置１４０を用いてアルバム生成装置１３０に対してアルバムの提供を要求する。これに応じて、アルバム生成装置１３０は走行画像のアルバムを生成し、アルバム閲覧装置１４０に送信する。アルバム閲覧装置１４０は受信したアルバムを表示装置に表示する。
【００１６】
図２Ａ〜図２Ｄを参照して、アルバム生成システム１００に含まれる各装置のハードウェア構成例を説明する。図２Ａに示すように、サービス受付装置１１０は、処理装置１１１と、記憶装置１１２と、入力装置１１３と、表示装置１１４と、通信装置１１５と、イメージセンサ１１６とを有する。処理装置１１１は、サービス受付装置１１０が行う処理を実行する装置であり、例えばＣＰＵなどのプロセッサによって構成される。記憶装置１１２は、サービス受付装置１１０による処理を行うためのデータを記憶するための装置であり、例えばＲＡＭやＲＯＭなどのメモリで構成される。
【００１７】
入力装置１１３は、サービス受付装置１１０のユーザ（例えば運転者１０３）からの入力を受け取るための装置であり、例えばタッチパッドやボタンなどで構成される。表示装置１１４は、サービス受付装置１１０のユーザへ情報を提示するための装置であり、例えば液晶ディスプレイやスピーカなどで構成される。入力装置１１３及び表示装置１１４はタッチスクリーンのような一体の装置で構成されてもよい。
【００１８】
通信装置１１５は、サービス受付装置１１０が他の装置と通信するための装置であり、有線通信を行う場合にはネットワークカードなどによって構成され、無線通信を行う場合にはアンテナや信号処理回路などによって構成される。イメージセンサ１１６は、サービス受付装置１１０のレンズを通じて入射した光に基づいて電気信号を生成するためのセンサである。処理装置１１１は、イメージセンサ１１６で生成された電気信号を処理することによって画像を生成する。
【００１９】
図２Ｂに示すように、撮影装置１２０は、処理装置１２１と、記憶装置１２２と、入力装置１２３と、表示装置１２４と、通信装置１２５と、イメージセンサ１２６とを有する。処理装置１２１、記憶装置１２２、入力装置１２３、表示装置１２４、通信装置１２５及びイメージセンサ１２６は、処理装置１１１、記憶装置１１２、入力装置１１３、表示装置１１４、通信装置１１５及びイメージセンサ１１６と同様であるので重複する説明を省略する。
【００２０】
図２Ｃに示すように、アルバム生成装置１３０は、処理装置１３１と、記憶装置１３２と、入力装置１３３と、表示装置１３４と、通信装置１３５とを有する。処理装置１３１、記憶装置１３２、入力装置１３３、表示装置１３４及び通信装置１３５は、処理装置１１１、記憶装置１１２、入力装置１１３、表示装置１１４及び通信装置１１５と同様であるので重複する説明を省略する。アルバム生成装置１３０は大量のデータを処理するので、例えばサーバ用のコンピュータによって構成される。また、記憶装置１３２は、メモリ以外に、ディスク装置などで構成されてもよい。
【００２１】
図２Ｄに示すように、アルバム閲覧装置１４０は、処理装置１４１と、記憶装置１４２と、入力装置１４３と、表示装置１４４と、通信装置１４５とを有する。処理装置１４１、記憶装置１４２、入力装置１４３、表示装置１４４及び通信装置１４５は、処理装置１１１、記憶装置１１２、入力装置１１３、表示装置１１４及び通信装置１１５と同様であるので重複する説明を省略する。アルバム閲覧装置１４０は、例えばスマートフォンなどのモバイルデバイスやパーソナルコンピュータなどである。
【００２２】
図３を参照して、サービスの申し込みの受付処理の一例を説明する。この処理は、サービス受付装置１１０とアルバム生成装置１３０とが連携することによって実行される。サービス受付装置１１０における処理は、処理装置１１１が記憶装置１１２に格納されているプログラムを読み出し、これに含まれる命令を実行することによって行われる。アルバム生成装置１３０における処理は、処理装置１３１が記憶装置１３２に格納されているプログラムを読み出し、これに含まれる命令を実行することによって行われる。
【００２３】
ステップＳ３０１において、サービス受付装置１１０は、入力装置１１３を用いて運転者１０３からサービスの申し込みの指示を受け取る。サービス受付装置１１０は、申し込みの指示と同時にアルバムの編集方針を運転者１０３から受け取る。
【００２４】
アルバムの編集方針は、例えば走行中の車両１０１の切り出し方法を含む。切り出し方法として、例えばタンデム走行撮影モードと、峠走行撮影モードと、集団走行撮影モードとを含む。タンデム走行撮影モードとは、二人乗りで走行した場合の撮影モードであり、図６Ａに示すように周囲の風景が分かるような範囲で車両１０１の画像６０１が切り出される。峠走行撮影モードとは、一人乗りで峠を走行した場合の撮影モードであり、図６Ｂに示すように車両１０１が画像の大部分を占めるように画像６０２が切り出される。集団走行撮影モードとは、複数の車両で走行した場合の撮影モードであり、図６Ｃに示すように複数の車両１０１全体が含まれるように画像６０３が切り出される。その他に、アルバムの編集方針は、効果音の種類、ＢＧＭの種類、優先するカメラアングル（前方、側方、後方）などを含んでもよい。
【００２５】
ステップＳ３０２において、サービス受付装置１１０は、運転者１０３及び車両１０１の画像を撮影する。ここで撮影される画像７０１の一例を図７Ａに示す。サービス受付装置１１０は、車両１０１と、運転者１０３のヘルメット７０２及びウェア７０３が含まれる画像７０１を撮影する。上述のように、画像７０１は、走行区間１０２の走行前に撮影されてもよいし、走行後に撮影されてもよい。ステップＳ３０３において、サービス受付装置１１０は、ステップＳ３０１で受け取った編集方針と、ステップＳ３０２で撮影された画像とをアルバム生成装置１３０へ送信し、アルバム生成装置１３０はこれを受信する。
【００２６】
ステップＳ３０４において、アルバム生成装置１３０は、受信した画像から運転者１０３及び車両１０１の組み合わせを識別する識別情報を生成する。以下、この識別情報を車両識別情報と呼ぶ。例えば、アルバム生成装置１３０は、運転者１０３の外観と、車両１０１の外観との少なくとも１つを含む車両識別情報を生成する。運転者１０３の外観は、運転者１０３のヘルメット７０２とウェア７０３との少なくとも１つを含んでもよい。例えば、アルバム生成装置１３０は、運転者１０３の画像からヘルメット７０２の色及びウェア７０３の色を特定し、車両１０１の画像から車両１０１の色及びモデルを特定する。アルバム生成装置１３０は、これらの特定された情報の組み合わせを車両識別情報とする。
【００２７】
ステップＳ３０５において、アルバム生成装置１３０は新たなサービスＩＤを発行する。サービスＩＤとは、アルバム提供サービスの各インスタンスを一意に識別するための番号である。ステップＳ３０６において、アルバム生成装置１３０は、ステップＳ３０３で受信した編集方針と、ステップＳ３０４で生成した車両識別情報と、ステップＳ３０５で発行したサービスＩＤとを関連付けて記憶装置１３２に格納する。
【００２８】
ステップＳ３０７において、アルバム生成装置１３０は、ステップＳ３０５で発行されたサービスＩＤをサービス受付装置１１０へ送信し、サービス受付装置１１０はこれを受信する。ステップＳ３０８において、サービス受付装置１１０は、ステップＳ３０６で受信したサービスＩＤを運転者１０３に提示する。
【００２９】
上述の動作例では、ステップＳ３０１で編集方針が受け取られ、ステップＳ３０３で編集方針がアルバム生成装置１３０へ送信された。これらのステップは省略されてもよい。この場合に、アルバム生成装置１３０はデフォルトの編集方針に沿ってアルバムを生成してもよいし、同じユーザの過去の編集方針に沿ってもよいし、他のユーザの編集方針に基づく推奨の編集方針に沿ってもよい。
【００３０】
上述の動作例では、アルバム生成装置１３０がステップＳ３０４で車両識別情報を生成した。これに代えて、サービス受付装置１１０がステップＳ３０４を実行することによって車両識別情報を生成し、この車両識別情報をアルバム生成装置１３０へ送信してもよい。いずれの方法であっても、アルバム生成装置１３０は車両識別情報を取得できる。
【００３１】
図４を参照して、画像を登録する処理の一例を説明する。この処理は、撮影装置１２０とアルバム生成装置１３０とが連携することによって実行される。撮影装置１２０における処理は、処理装置１２１が記憶装置１２２に格納されているプログラムを読み出し、これに含まれる命令を実行することによって行われる。アルバム生成装置１３０における処理は、処理装置１３１が記憶装置１３２に格納されているプログラムを読み出し、これに含まれる命令を実行することによって行われる。
【００３２】
ステップＳ４０１において、撮影装置１２０は、イメージセンサ１２７を用いて画像を撮影する。この画像は静止画像であってもよいし、動画像（例えば、１０秒程度の動画像）であってもよい。撮影装置１２０の設置位置に応じて様々な画像が撮影される。例えば、車両１０１に搭載された撮影装置１２０ｄは、図７Ｂに示すように他の車両を背後から見た画像７０２を撮影する。無人飛行体１０５に搭載された撮影装置１２０ｂは、図７Ｃに示すように車両１０１を上空から見た画像７０３を撮影する。ステップＳ４０２において、撮影装置１２０は、ステップＳ４０１で撮影された画像をアルバム生成装置１３０へ送信し、アルバム生成装置１３０はこれを受信する。ステップＳ４０３において、アルバム生成装置１３０は、ステップＳ４０３で受信した画像を記憶装置１３２に格納する。このステップにおいて、アルバム生成装置１３０は、画像を撮影した撮影装置１２０の識別情報と関連付けて画像を格納してもよい。
【００３３】
撮影装置１２０の処理（ステップＳ４０１〜ステップＳ４０３）は、例えば撮影装置１２０が起動することによって開始され、その後反復して（例えば、１秒ごとに）実行され、撮影装置１２０の停止によって終了してもよい。これに代えて、撮影装置１２０の処理は、撮影者１０４の指示に応じて行われてもよい。
【００３４】
撮影装置１２０は、画像を撮影するごとにアルバム生成装置１３０へ送信する代わりに、自身の記憶装置１１２に格納しておき、画像を複数まとめて（例えば撮影者１０４に指示された場合や、アルバム生成装置１３０からリモートから指示された場合、一定時間（例えば１時間）が経過した場合などに）アルバム生成装置１３０へ送信してもよい。
【００３５】
図５を参照して、アルバムを生成・表示する処理の一例を説明する。この処理は、アルバム閲覧装置１４０とアルバム生成装置１３０とが連携することによって実行される。アルバム閲覧装置１４０における処理は、処理装置１４１が記憶装置１４２に格納されているプログラムを読み出し、これに含まれる命令を実行することによって行われる。アルバム生成装置１３０における処理は、処理装置１３１が記憶装置１３２に格納されているプログラムを読み出し、これに含まれる命令を実行することによって行われる。
【００３６】
ステップＳ５０１において、アルバム閲覧装置１４０はユーザ（例えば、運転者１０３）から走行画像のアルバムを表示することの要求を受け取る。この要求は、図３のステップＳ３０８で提示されたサービスＩＤを含む。ステップＳ５０２において、アルバム閲覧装置１４０は、ステップＳ５０１で受け取ったサービスＩＤを含む要求をアルバム生成装置１３０へ送信し、アルバム生成装置１３０はこれを受信する。
【００３７】
ステップＳ５０３において、アルバム生成装置１３０は、ステップＳ５０２で受信したサービスＩＤに関連付けられた車両識別情報を記憶装置１３２から読み出す。上述のように、記憶装置１３２には図３のステップＳ３０６で車両識別情報が格納されている。ステップＳ５０４において、アルバム生成装置１３０は、ステップＳ５０３で読み出した車両識別情報を用いて、記憶装置１３２に格納されている１つ以上の画像のうちアルバム生成対象の運転者１０３及び車両１０１の組み合わせを含む画像を選択する。
【００３８】
ステップＳ５０５において、アルバム生成装置１３０は、ステップＳ５０４で選択された画像を用いてアルバムを作成する。ユーザによって編集方針が指定されている場合に、アルバム生成装置１３０はこの編集方針に沿ってアルバムを生成する。アルバムの作成は、動画像からのシーンの切り出し、１以上の画像の結合、画像のトリミング、ＢＧＭの挿入、効果音の付加などを含む。ユーザによって編集方針が指定されている場合に、アルバム生成装置１３０はこの編集方針に沿ってアルバムを生成する。ユーザの編集方針で詳細に設定されていないパラメータに関しては、アルバム生成装置１３０が自身で判断して決定する。
【００３９】
ステップＳ５０６において、アルバム生成装置１３０は、ステップＳ５０５で生成したアルバムをアルバム閲覧装置１４０へ送信し、アルバム閲覧装置１４０はこれを受信する。ステップＳ５０７において、アルバム閲覧装置１４０は、ステップＳ５０６で受信したアルバムを表示装置１４４で表示する。
【００４０】
ステップＳ５０８において、アルバム閲覧装置１４０は、アルバムに対する評価をユーザから取得する。この評価は「良い」か「悪い」かの２段階であってもよいし、３段階以上の評価であってもよい。ステップＳ５０９において、アルバム閲覧装置１４０は、ステップＳ５０８で受け取った評価をアルバム生成装置１３０へ送信し、アルバム生成装置１３０はこれを受信する。
【００４１】
ステップＳ５１０において、アルバム生成装置１３０は、アルバムの評価を、このアルバムの生成方法に関連付けて記憶装置１３２に格納する。アルバム生成装置１３０は、今後のサービスの提供において、ステップＳ５０５のアルバム生成の際にこの評価を利用して新たなアルバムを生成してもよい。具体的に、アルバム生成装置１３０は、ユーザの編集方針で詳細に設定されていないパラメータを、過去に取得した評価を用いて機械学習を行うことによって決定し、そのパラメータに沿ってアルバムを生成してもよい。
【００４２】
上述の図３〜図５では、アルバム生成システム１００の各装置の処理装置がプログラムを実行することによって処理が行われた。これに代えて、各装置は、上述の処理の一部又は全部を実行するための専用回路（例えばＡＳＩＣ）を備えてもよい。
【００４３】
＜実施形態のまとめ＞
［構成１］
アルバム生成装置（１３０）であって、
ユーザ（１０３）及び移動体（１０１）の組み合わせを識別する識別情報を取得する第１取得手段（１３１、Ｓ３０４）と、
１つ以上の撮影装置（１２０）から１つ以上の画像を取得する第２取得手段（１３１、Ｓ４０２）と、
前記識別情報を用いて、前記１つ以上の画像のうち前記ユーザ及び前記移動体の前記組み合わせを含む画像を選択する選択手段（１３１、Ｓ５０４）と、
前記選択された画像を用いてアルバムを生成する生成手段（１３１、Ｓ５０５）と、
を備えることを特徴とするアルバム生成装置。
【００４４】
この構成によれば、移動中の移動体のアルバムを移動体のユーザに対して提供可能になる。
【００４５】
［構成２］
前記１つ以上の撮影装置は、前記アルバムの生成対象の区間（１０２）を移動する移動体を撮影することを特徴とする構成１に記載のアルバム生成装置。
【００４６】
この構成によれば、特定の区間におけるアルバムを生成可能になる。
【００４７】
［構成３］
前記第１取得手段は、前記アルバムの生成対象の区間を走行する前又は走行した後に撮影された前記ユーザ及び前記移動体の画像から前記識別情報を取得することを特徴とする構成１又は２に記載のアルバム生成装置。
【００４８】
この構成によれば、ユーザ及び移動体の画像を撮影することによって識別情報を取得可能になる。
【００４９】
［構成４］
前記ユーザ及び前記移動体の画像は、前記アルバムの生成対象の区間の始点又は終点に設置された撮影装置（１１０）によって撮影されることを特徴とする構成１乃至３の何れか１項に記載のアルバム生成装置。
【００５０】
この構成によれば、特定の区間の前後でユーザ及び車両を撮影可能になる。
【００５１】
［構成５］
前記識別情報は、前記ユーザの外観と、前記移動体の外観との少なくとも一方を含むことを特徴とする構成１乃至４の何れか１項に記載のアルバム生成装置。
【００５２】
この構成によれば、ユーザの外観又は移動体の外観によって画像を識別可能になる。
【００５３】
［構成６］
前記移動体は自動二輪車であり、前記ユーザの外観は、前記ユーザのヘルメット（７０２）とウェア（７０３）との少なくとも１つを含むことを特徴とする構成１乃至５の何れか１項に記載のアルバム生成装置。
【００５４】
この構成によれば、ユーザが装着するもので画像を識別することによって、複雑な処理することなく、簡易でかつ確実にユーザ及び移動体を含む画像を特定可能になる。
【００５５】
［構成７］
前記生成手段は、前記ユーザによって指定された方針に沿って前記アルバムを生成することを特徴とする構成１乃至６の何れか１項に記載のアルバム生成装置。
【００５６】
この構成によれば、ユーザの嗜好に合ったアルバムを生成可能になる。
【００５７】
［構成８］
前記アルバムを前記ユーザに提供する手段と、
前記アルバムの評価を前記ユーザから取得する手段とを更に備え、
前記生成手段は、前記評価に基づいて新たなアルバムを生成することを特徴とする構成１乃至７の何れか１項に記載のアルバム生成装置。
【００５８】
この構成によれば、アルバムの生成に対して評価がフィードバックされるので、よりユーザの嗜好にあったアルバムを生成可能になる。
【００５９】
［構成９］
前記１つ以上の撮影装置は、前記アルバムの生成対象の区間を撮影可能な地点に固定された撮影装置（１２０ａ）を含むことを特徴とする構成１乃至８の何れか１項に記載のアルバム生成装置。
【００６０】
この構成によれば、特定の地点からの画像をアルバムに含めることが可能となる。
【００６１】
［構成１０］
前記１つ以上の撮影装置は、無人飛行体（１０５）に搭載された撮影装置（１０２ｂ）を含むことを特徴とする構成１乃至９の何れか１項に記載のアルバム生成装置。
【００６２】
この構成によれば、上空からの画像をアルバムに含めることが可能となる。
【００６３】
［構成１１］
アルバム生成システム（１００）であって、
１つ以上の撮影装置（１２０）と、
ユーザ（１０３）及び移動体（１０１）の組み合わせを識別する識別情報を取得する第１取得手段（１３１、Ｓ３０４）と、
１つ以上の撮影装置（１２０）から１つ以上の画像を取得する第２取得手段（１３１、Ｓ４０２）と、
前記識別情報を用いて、前記１つ以上の画像のうち前記ユーザ及び前記移動体の前記組み合わせを含む画像を選択する選択手段（１３１、Ｓ５０４）と、
前記選択された画像を用いてアルバムを生成する生成手段（１３１、Ｓ５０５）と、
を備えることを特徴とするアルバム生成システム。
【００６４】
この構成によれば、移動中の移動体のアルバムを移動体のユーザに対して提供可能になる。
【００６５】
［構成１２］
アルバムを生成する方法であって、
ユーザ（１０３）及び移動体（１０１）の組み合わせを識別する識別情報を取得する工程（Ｓ３０４）と、
１つ以上の撮影装置（１２０）から１つ以上の画像を取得する工程（Ｓ４０２）と、
前記識別情報を用いて、前記１つ以上の画像のうち前記ユーザ及び前記移動体の前記組み合わせを含む画像を選択する工程（Ｓ５０４）と、
前記選択された画像を用いてアルバムを生成する工程（Ｓ５０５）と、
を有することを特徴とする方法。
【００６６】
この構成によれば、移動中の移動体のアルバムを移動体のユーザに対して提供可能になる。
【００６７】
［構成１３］
１つ以上のプロセッサ（１３１）により実行された場合に、前記１つ以上のプロセッサに、
ユーザ（１０３）及び移動体（１０１）の組み合わせを識別する識別情報を取得すること（Ｓ３０４）と、
１つ以上の撮影装置（１２０）から１つ以上の画像を取得すること（Ｓ４０２）と、
前記識別情報を用いて、前記１つ以上の画像のうち前記ユーザ及び前記移動体の前記組み合わせを含む画像を選択すること（Ｓ５０４）と、
前記選択された画像を用いてアルバムを生成すること（Ｓ５０５）と、
を実行させるための命令を備えることを特徴とするプログラム。
【００６８】
この構成によれば、移動中の移動体のアルバムを移動体のユーザに対して提供可能になる。
【００６９】
本発明は上記実施の形態に制限されるものではなく、本発明の精神及び範囲から離脱することなく、様々な変更及び変形が可能である。従って、本発明の範囲を公にするために、以下の請求項を添付する。
【図１】
2018179310.tif 000003
【図２Ａ】
2018179310.tif 000004
【図２Ｂ】
2018179310.tif 000005
【図２Ｃ】
2018179310.tif 000006
【図２Ｄ】
2018179310.tif 000007
【図３】
2018179310.tif 000008
【図４】
2018179310.tif 000009
【図５】
2018179310.tif 000010
【図６Ａ】
2018179310.tif 000011
【図６Ｂ】
2018179310.tif 000012
【図６Ｃ】
2018179310.tif 000013
【図７Ａ】
2018179310.tif 000014
【図７Ｂ】
2018179310.tif 000015
【図７Ｃ】
2018179310.tif 000016
【手続補正書】
【提出日】令和1年9月11日(2019.9.11)
【手続補正１】
【補正対象書類名】明細書
【補正対象項目名】００１４
【補正方法】変更
【補正の内容】
【００１４】
撮影装置１２０ａ〜１２０ｄはそれぞれ、走行区間１０２を走行する車両を撮影する装置である。撮影装置１２０ａ〜１２０ｄを特に区別する必要がない場合に、撮影装置１２０と総称する。撮影装置１２０は撮影した画像をアルバム生成装置１３０へ送信する。画像は静止画像であってもよいし、動画像であってもよい。撮影装置１２０は、撮影装置１２０ａのように走行区間１０２を撮影可能な地点に固定されていてもよいし、撮影装置１２０ｂのように自律飛行可能な無人飛行体１０５（例えば、ドローン）に搭載されてもよいし、撮影装置１２０ｃのように撮影者１０４によって使用されてもよいし、撮影装置１２０ｄのように車両１０１に搭載されてもよい。無人飛行体１０５及び車両１０１はいずれも移動体の一例である。アルバム生成システム１００は、撮影装置１２０ａ〜１２０ｄの少なくとも１つを備えてもよいし、撮影装置１２０ａ〜１２０ｄのそれぞれを複数備えてもよい。
【手続補正２】
【補正対象書類名】明細書
【補正対象項目名】００３２
【補正方法】変更
【補正の内容】
【００３２】
ステップＳ４０１において、撮影装置１２０は、イメージセンサ１２６を用いて画像を撮影する。この画像は静止画像であってもよいし、動画像（例えば、１０秒程度の動画像）であってもよい。撮影装置１２０の設置位置に応じて様々な画像が撮影される。例えば、車両１０１に搭載された撮影装置１２０ｄは、図７Ｂに示すように他の車両を背後から見た画像７０４を撮影する。無人飛行体１０５に搭載された撮影装置１２０ｂは、図７Ｃに示すように車両１０１を上空から見た画像７０５を撮影する。ステップＳ４０２において、撮影装置１２０は、ステップＳ４０１で撮影された画像をアルバム生成装置１３０へ送信し、アルバム生成装置１３０はこれを受信する。ステップＳ４０３において、アルバム生成装置１３０は、ステップＳ４０２で受信した画像を記憶装置１３２に格納する。このステップにおいて、アルバム生成装置１３０は、画像を撮影した撮影装置１２０の識別情報と関連付けて画像を格納してもよい。
【手続補正３】
【補正対象書類名】図面
【補正対象項目名】図７Ｂ
【補正方法】変更
【補正の内容】
【図７Ｂ】
2018179310.tif 000017
【手続補正４】
【補正対象書類名】図面
【補正対象項目名】図７Ｃ
【補正方法】変更
【補正の内容】
【図７Ｃ】
2018179310.tif 000018
【国際調査報告】
2018179310.tif 000019
2018179310.tif 000020
2018179310.tif 000021
2018179310.tif 000022